(57)【要約】【課題】老人や足腰に不安のある者にとっても危険を伴うことなく迅速かつ容易に高所まで避難することができるとともに、浮遊物との直接的な当接を確実に回避して避難人の安全性を確保することができる避難設備を提供する。【解決手段】津波や洪水によって水かさが増大する災害などから人命を守る避難設備１として、地上に立設され、津波や洪水に抗するに十分な剛性及び高さを有する筒体２と、この筒体２の下端位置に開設され、筒体２内への水の導入を可能とする複数の水導入口２１と、この各水導入口２１よりも上側に位置する筒体２の下部位置に開設され、筒体２内に対して避難人を案内する案内口２２と、筒体２内の下端位置に自重によって保持され、案内口２２から筒体２内に案内された避難人を搭乗させた状態で、各水導入口２１から筒体２内に導入された水の水位に応じて昇降可能に浮遊する浮遊体３と、を備えている。【選択図】図１
2014047492.tif 000002
【特許請求の範囲】
【請求項１】
津波や洪水によって水かさが増大する災害などから人命を守る避難施設であって、
地上に立設され、津波や洪水に抗するに十分な剛性及び高さを有する筒体と、
この筒体の下端部にそれぞれ開設され、前記筒体内への水の導入を可能とする水導入口及び前記筒体内に対して避難人を案内する案内口と、
前記筒体内の下端部に自重によって保持され、前記案内口から前記筒体内に案内された避難人を搭乗させる避難室を有しかつこの避難室に避難人を搭乗させた状態で前記水導入口から前記筒体内に導入された水の水位に応じて昇降可能に浮遊する浮遊体と、
を備えていることを特徴とする避難施設。
【請求項２】
前記筒体は、津波や洪水に伴って浮遊する浮遊物を遮断する柵状又は網目状の外構材若しくは透光板を備えて外光を内部に取り入れ可能に構成されている請求項１に記載の避難施設。
【請求項３】
前記浮遊体の下面には、当該浮遊体に対して積極的に浮力を作用させる複数の浮力作用体がそれぞれ脱着可能に取り付けられ、この各浮力作用体が、前記水導入口から出し入れ可能な大きさに形成されている請求項１又は請求項２に記載の避難施設。
【請求項４】
前記水導入口には、当該水導入口を前記筒体外から水が導入される際にのみ開放する導入扉が設けられており、
前記導入扉には、前記水導入口よりも小さな水導出口が開設されているとともに、この水導出口には、当該水導出口を前記筒体内から水が導出される際にのみ開放する導出扉が設けられている請求項１〜請求項３のいずれか１つに記載の避難施設。
【請求項５】
前記筒体の内周面には、その周方向所定間隔置きに複数の主支柱が立設されているとともに、
前記浮遊体の下面には、前記各主支柱に向かってそれぞれ放射状に延びる複数の梁が設けられており、
前記各梁の先端と前記各主支柱との間には、前記浮遊体の昇降を案内する案内部材が設けられている請求項１〜請求項４のいずれか１つに記載の避難施設。
【請求項６】
津波や洪水によって水かさが増大する災害などから人命を守る避難施設であって、
避難人を搭乗させる避難室を有し、かつ水位に応じて浮遊する浮遊体と、
前記浮遊体の下面に設けられ、津波や洪水に伴う浮遊物との衝突に耐え得る強度を有する浮力作用体と、
地上に立設されて津波や洪水に抗するに十分な剛性及び高さを有し、前記浮遊体の前後左右方向の自由度を制限しつつ前記浮遊体を昇降自在に支持する浮遊体支持手段と、
を備え、
前記浮力作用体は、前記避難室に避難人を搭乗させた状態で前記浮遊体を喫水線よりも上側に位置させる浮力性能を有していることを特徴とする避難施設。
【発明の詳細な説明】
【技術分野】
【０００１】
本発明は、津波や洪水などによって水かさが増大する災害等から人命を守る避難設備に関する。
【背景技術】
【０００２】
一般に、津波や洪水などによって水かさが増大する災害時には、高台に避難する必要がある。しかし、居住地が平野部に集中している場合には、高台までが非常に遠かったり、高台までの経路上において土砂災害などの二次災害が危惧される場所が存在するなどして、高台まで避難することができないことがある。
【０００３】
そこで、従来より、平野部などに避難設備を設置して、避難経路の短縮化を図るようにしている。そして、この種の避難設備としては、頂上部に避難ステージを有する櫓状の建造物を立設し、地上から避難ステージまで至る階段を備えたものが知られている（例えば、特許文献１参照）。
【０００４】
また、水かさが増大する災害時に水位に応じて浮揚する避難コンテナと、この避難コンテナを上下方向へガイドする支柱からなる一対の台座とを備えた津波シェルターもある（例えば特許文献２参照）。
【先行技術文献】
【特許文献】
【０００５】
【特許文献１】特開２００５−２６４７２１号公報
【特許文献２】特開２０１１−１０６１４２号公報
【発明の概要】
【発明が解決しようとする課題】
【０００６】
ところが、前記前者のものでは、頂上部の避難ステージといった高所まで階段を上る必要があるため、老人や足腰に不安のある者にとっては、高所まで到達するのに時間を要し、高所まで容易に避難することができない。しかも、災害時に自制心をなくした者が階段に群がると、階段から落下するおそれもあり、高所への避難に危険が伴う。
【０００７】
一方、前記後者のものでは、水位に応じて浮揚する避難コンテナに搭乗しさえすれば、老人や足腰に不安のある者であっても危険を伴うことなく容易に高所まで避難することが可能となるものの、水位が増大する際の水の勢いに避難コンテナが晒されているため、避難人が搭乗している避難コンテナに対し浮遊物が直接当接するおそれがある。しかも、台座の支柱が矢板により構成されているため、剛性が十分なものとはいえない。このため、避難コンテナに搭乗した避難人の安全性が危惧される。
【０００８】
本発明は、かかる点に鑑みてなされたものであり、その目的とするところは、老人や足腰に不安のある者にとっても危険を伴うことなく迅速かつ容易に高所まで避難することができるとともに、浮遊物との直接的な当接を確実に回避して避難人の安全性を確保することができる避難設備を提供することにある。
【課題を解決するための手段】
【０００９】
前記目的を達成するため、本発明が講じた解決手段は、津波や洪水によって水かさが増大する災害などから人命を守る避難設備を前提とする。そして、地上に立設され、津波や洪水に抗するに十分な剛性及び高さを有する筒体と、この筒体の下端部にそれぞれ開設され、前記筒体内への水の導入を可能とする水導入口及び前記筒体内に対して避難人を案内する案内口と、前記筒体内の下端部に自重によって保持され、前記案内口から前記筒体内に案内された避難人を搭乗させる避難室を有しかつこの避難室に避難人を搭乗させた状態で前記水導入口から前記筒体内に導入された水の水位に応じて昇降可能に浮遊する浮遊体と、を備えることを特徴としている。
【００１０】
前記筒体は、津波や洪水に伴う浮遊物を遮断する柵状又は網目状の外構材若しくは透光板を備えて外光を内部に取り入れ可能に構成されていてもよい。
【００１１】
また、前記浮遊体の下面に、当該浮遊体に対して積極的に浮力を作用させる複数の浮力作用体をそれぞれ脱着可能に取り付け、この各浮力作用体を、前記水導入口から出し入れ可能な大きさに形成していてもよい。
【００１２】
また、前記水導入口に、当該水導入口を前記筒体外から水が導入される際にのみ開放する導入扉を設ける。更に、前記導入扉に、前記水導入口よりも小さな水導出口を開設し、この水導出口に、当該水導出口を前記筒体内から水が導出される際にのみ開放する導出扉を設けていてもよい。
【００１３】
更に、前記筒体の内周面に、その周方向所定間隔置きに複数の主支柱を立設するとともに、前記浮遊体の下面に、前記各主支柱に向かってそれぞれ放射状に延びる複数の梁を設ける。そして、前記各梁の先端と前記各主支柱との間に、前記浮遊体の昇降を案内する案内部材を設けていてもよい。
【００１４】
また、前記目的を達成するため、本発明が講じたその他の解決手段は、津波や洪水によって水かさが増大する災害などから人命を守る避難施設であって、避難人を搭乗させる避難室を有し、かつ水位に応じて浮遊する浮遊体と、前記浮遊体の下面に設けられ、津波や洪水に伴う浮遊物との衝突に耐え得る強度を有する浮力作用体と、地上に立設されて津波や洪水に抗するに十分な剛性及び高さを有し、前記浮遊体の前後左右方向の自由度を制限しつつ前記浮遊体を昇降自在に支持する浮遊体支持手段と、を備える。そして、前記浮力作用体は、前記避難室に避難人を搭乗させた状態で前記浮遊体を喫水線よりも上側に位置させる浮力性能を有することを特徴としている。
【発明の効果】
【００１５】
以上、要するに、津波や洪水によって水かさが増大する災害時などに避難設備に到達した避難人は、案内口から筒体内に案内されて、下部位置に自重で保持された浮遊体の避難室に搭乗すればよい。そして、水導入口から筒体内に水が導入されると、浮遊体が、避難人を搭乗させた状態で浮遊し、水の水位に応じて浮遊体が浮遊しながら筒体内を上昇する。このため、増大する水かさよりも高い位置まで階段を上る必要がない。これにより、老人や足腰に不安のある者であっても浮遊体の避難室に搭乗しさえすれば危険を伴うことなく迅速かつ容易に高所まで避難することができる。
また、浮遊体が津波や洪水に抗するに十分な剛性及び高さを有する筒体内に収容されているので、水位が増大する際の水の勢いに乗じる浮遊物との当接を確実に回避して浮遊体の避難室に搭乗した避難人の安全性を確保することができる。
しかも、浮遊体が水の水位に応じて浮遊しながら筒体内を上昇することにより、浮遊体を高所まで上昇させる電源や動力を不要にすることができる。一方、筒体外での水かさの低下に伴い浮遊体が下降し、水かさの増減に応じた浮遊体の昇降動作を安定して行うことができる。
更に、筒体が津波や洪水に抗するに十分な剛性及び高さを有しているので、激流や暴風などが筒体によってシャットダウンされ、浮遊体を安定して昇降させることができる上、台風や竜巻などの災害時の避難場所としても有効に活用することができる。
さらにまた、浮遊体に避難室を備えることで、平常時に、家屋、事務所、工場、または商業施設等の通常の建築物と同様の使用が可能である。
【００１６】
また、前記筒体を、津波や洪水に伴う浮遊物を遮断する柵状又は網目状の外構材若しくは透光板を備えて外光を内部に取り入れ可能に構成することで、浮遊体の避難室に搭乗した避難人が外光によって照らされ、昇降時の不安を軽減させることができる。しかも、外構材の隙間や透光板を介して外部の様子が一目瞭然となり、避難人の孤立感を軽減させることもできる。
【００１７】
また、浮遊体の下面に積極的な浮力を作用させる浮力作用体を設けることで、筒体内での浮遊体の昇降動作を円滑に行うことができる。
しかも、浮力作用体を、水導入口から出し入れ可能な大きさに形成して浮遊体の下面に脱着可能に取り付けることで、浮力作用体のメンテナンス作業や交換作業を水導入口を介して簡単に行うことができる。
【００１８】
また、水導入口を筒体外から水が導入される際にのみ開放する導入扉に小さな水導出口を開設し、この水導出口に、当該水導出口を筒体内から水が導出される際にのみ開放する導出扉を設けることで、筒体外の水かさが低下した際に小さな水導出口から筒体内の水がゆっくり排出されて、浮遊体をゆっくりと下降させることができる。
【００１９】
更に、筒体の内周面に立設した複数の主支柱と、浮遊体の下面において各主支柱に向かってそれぞれ放射状に延びる複数の梁の先端との間に、浮遊体の昇降を案内する案内部材を設けることで、筒体内での浮遊体の昇降動作を案内部材によってスムーズに行うことができる。
【００２０】
これに対し、津波や洪水によって水かさが増大する災害時などに避難設備に到達した避難人は、浮遊体の避難室に搭乗すればよい。そして、水かさが上昇すると、浮遊体が、浮力作用体の浮力により避難人を搭乗させた状態で浮遊し、水の水位に応じて浮遊体が浮遊体支持手段により前後左右方向の拘束を受けながら上昇する。このため、増大する水かさよりも高い位置まで階段を上る必要がない。これにより、老人や足腰に不安のある者であっても浮遊体の避難室に搭乗しさえすれば危険を伴うことなく迅速かつ容易に高所まで避難することができる。
また、浮遊体が津波や洪水に抗するに十分な剛性及び高さを有する浮遊体支持手段で支持されている上、浮力作用体によって浮遊体が喫水線よりも上側に位置しているので、水位が増大する際の水の勢いに乗じる浮遊物と浮遊体との直接的な当接を確実に回避して避難室に搭乗した避難人の安全性を確保することができる。
しかも、浮遊体が水の水位に応じて浮遊しながら浮遊体支持手段で支持されつつ上昇することにより、浮遊体を高所まで上昇させる電源や動力を不要にすることができる。一方、水かさの低下に伴い浮遊体が下降し、水かさの増減に応じた浮遊体の昇降動作を安定して行うことができる。
さらにまた、浮力作用体によって避難室が喫水線よりも上側に位置していることにより、水位が増大する際の水の勢いに乗じる浮遊物と避難室との直接的な当接を確実に回避することができるため、避難室に密閉や特別な強度は必要なく、窓や通気口等を通常の建築物と同様に設けることができ、骨材、壁在等、通常の建材を用いることができる。しかも、平常時には、避難室を家屋、事務所、工場、または商業施設等の通常の建築物と同様の使用が可能である。
【図面の簡単な説明】
【００２１】
【図１】本発明の第１の実施の形態に係る避難設備の筒体の一部を切り欠いた状態での斜視図である。
【図２】図１の避難設備の正面図である。
【図３】図２の避難設備の平面図である。
【図４】図２のＡ−Ａ線における断面図である。
【図５】図４のＢ−Ｂ線における断面図である。
【図６】図４のＣ−Ｃ線における断面図である。
【図７】案内口付近での避難設備の縦断面図である。
【図８】図６の主支柱付近の拡大図である。
【図９】図８の主支柱付近での斜視図である。
【図１０】浮遊体の床板を一部切り欠いた状態でポンツーンの取付構造を示す斜視図である。
【図１１】図６の水導入口付近での拡大図であって、（ａ）は導入扉及び導出扉が閉塞する通常状態、（ｂ）は導入扉のみが開放する水の導入状態、（ｃ）は導出扉のみが開放する水の導出状態をそれぞれ示している。
【図１２】第１の実施の形態の変形例に係る浮遊体の斜視図である。
【図１３】第２の実施の形態に係る避難設備の正面図である。
【発明を実施するための形態】
【００２２】
以下、添付図面を参照しながら、本発明の実施の形態について説明し、本発明の理解に供する。尚、以下の実施の形態は、本発明を具体化した一例であって、本発明の技術的範囲を限定する性格のものではない。
図１は本発明の実施の形態に係る避難設備の筒体の一部を切り欠いた状態での斜視図、図２は避難設備の正面図、図３は避難設備の平面図、図４は図２のＡ−Ａ線における断面図、図５は図４のＢ−Ｂ線における断面図、図６は図４のＣ−Ｃ線における断面図をそれぞれ示している。
【００２３】
図１〜図６において、避難設備１は、津波や洪水によって水かさが増大する災害などから人命を守るために供される。この避難設備１は、地上に立設された円筒形状の筒体２を備え、津波や洪水に抗するに十分な剛性及び高さを有している。そして、筒体２を立設するに当たり、図示しない複数の杭を地盤に支持させる杭工法などが採られる。この場合、筒体２は、鉄筋コンクリート製のものからなり、直径が２０ｍに、高さが３０ｍにそれぞれ設定されている。
【００２４】
筒体２の下端位置には、この筒体２内に対する水の導入を可能とする複数の水導入口２１が開設されている。また、各水導入口２１は、筒体２の周方向等間隔置きの６箇所に設けられ、それぞれグランドレベルＧＬに開口している。この場合、各水導入口２１は、幅が約２ｍ強（例えば２３０ｃｍ程度）に、高さが約３ｍ強（例えば３３０ｃｍ程度）にそれぞれ設定されている。
【００２５】
各水導入口２１よりも上側つまりグランドレベルＧＬよりも略３．６ｍ上側には、舗装された広場ＨＧが設置されている。この広場ＨＧが位置する筒体２の下部位置には、筒体２内に対して避難人を案内する複数の案内口２２が開設されている。各案内口２２は、グランドレベルＧＬよりも略３．６ｍ上側の広場ＨＧに開口していて、避難設備１まで到着した避難人が広場ＨＧから筒体２内に迅速かつ容易に案内されるようにしている。この場合、グランドレベルＧＬと広場ＨＧとの間には略３．６ｍの高低差が存在しており、水かさが増大した際に各水導入口２１から積極的に水が導入される。
【００２６】
また、筒体２内には、各案内口２２から筒体２内に案内された避難人を搭乗させた状態で、各水導入口２１から筒体内に導入された水の水位に応じて昇降可能に浮遊する浮遊体３が収容されている。この浮遊体３は、筒体２の下部位置に自重によって保持され、その床３１の高さが各案内口２２の下端と略一致している。
【００２７】
図７は案内口２２付近での避難設備１の断面図を示し、筒体２内には、各案内口２２と浮遊体３の床３１との間に架け渡されたデッキ２０が設けられている。また、浮遊体３の床３１の下面には、各主支柱２４に向かってそれぞれ放射状に延びる複数の梁３３が設けられている。
【００２８】
筒体２内には、その中心を上下方向へ延びる心柱２３が立設されている。浮遊体３の床３１には、当該浮遊体３をその浮遊時に心柱２３に対して摺動自在に案内する貫通孔３２が設けられている。また、心柱２３の上端は、筒体２の上端よりも上方に位置していて、筒体２内で浮遊する浮遊体３を当該筒体２の上端よりも高い位置まで案内させるようにしている。そして、筒体２の内周面には、その内周面に沿って周方向等間隔置きに６本の主支柱２４が立設されている。この各主支柱２４は、心柱２３と同じ高さまで突設され、心柱２３の中心より放射状に延びる６本の梁材２５の外方端にそれぞれ接続されている。また、互いに相隣なる各主支柱２４同士の間には、筒体２の内周面に沿って周方向等間隔置きに６本の副支柱２４ａが立設されている。互いに周方向に隣接する各主支柱２４及び副支柱２４ａ同士は、それぞれ連結材２４ｂによって上下方向所定間隔置きに連結されている。この場合、心柱２３は、梁材２５を介して各主支柱２４に連結され、その各支柱２４が各副支柱２４ａに連結材２４ｂによって連結することで、心柱２３の剛性が高められている。
【００２９】
図８は主支柱２４付近の拡大図、図９は主支柱２４付近での斜視図をそれぞれ示している。この図８及び図９において、浮遊体３の床３１の各梁３３の外端（先端）と各主支柱２４との間には、浮遊体３の昇降を案内する案内部材３４が設けられている。この案内部材３４は、各梁３３の外端に取り付けられた上下方向へ延びる断面略コ字状のサドル３４１と、この各サドル３４１と各梁３３の外端との間に縮装され、筒体２の半径方向に伸縮する横方向ダンパーシリンダ３４２と、各サドル３４１内に転動自在に支持され、浮遊体３の昇降時に主支柱２４の内面を転動する上下３つの第１ローラ３４３（図９では２つのみ示す）と、各サドル３４１の互いに対向する対向面３４１ａ（図９では一方のみ示す）にそれぞれ転動自在に取り付けられ、浮遊体３の昇降時に各主支柱２４の両側面（内面とそれぞれ隣接する面）を両側方から挟んで転動する上下２つの一対の第２ローラ３４４（図９では１つのみ示す）とを備えている。更に、各サドル３４１の下端部には、上下方向へ伸縮する上下方向ダンパーシリンダ３４５が設けられている。また、浮遊体３の床３１の各梁３３の内端部及び内外方向中間部には、下方に突出する脚部３９が設けられ、この各脚部３９の下端部にも上下方向ダンパーシリンダ３４５が設けられている。これらの上下方向ダンパーシリンダ３４５によって、浮遊体３の下降時にグランドレベルＧＬに対する衝突を緩和させている。
【００３０】
また、浮遊体３の各梁３３には、浮遊体３に対して積極的に浮力を作用させる浮力作用体３５が付設されている。この浮力作用体３５は、内部にそれぞれ空気が密封された直方体形状の３種類のポンツーン３５ａ，３５ｂ，３５ｃよりなる。また、各ポンツーン３５ａ，３５ｂ，３５ｃは、いずれも各水導入口２１から出し入れ可能な大きさに形成、具体的には、幅が２ｍ以下でかつ高さが３ｍ以下に形成されている。
【００３１】
図１０は浮遊体３の床３１を一部切り欠いた状態でポンツーン３５ａの取付構造を示す斜視図を示し、各ポンツーン３５ａ，３５ｂ，３５ｃは、いずれも浮遊体３の下面つまり梁３３に対してボルト３６締結により脱着可能に取り付けられている。また、互いに相隣なる浮遊体３の各梁３３同士の間には、床３１の下面を各副支柱２４ａに向かってそれぞれ放射状に延びる複数の副梁３３ａが設けられている。各副梁３３ａの外端（先端）は、浮遊体３の床３１の外周縁とほぼ一致しており、互いに周方向に隣接する各梁３３及び各副梁３３ａの内外両端同士は、それぞれ連結材３３ｂによって床３１の下面で連結されている。
【００３２】
図１１は水導入口２１付近での拡大図を示し、図１１の（ａ）及び（ｂ）に示すように、各水導入口２１には、当該各水導入口２１を筒体２外から水が導入される際にのみ水の導入力により筒体２内に向かって開放する導入扉２６が設けられている。また、図１１の（ｃ）にも示すように、各導入扉２６には、各水導入口２１よりも小さな水導出口２７が開設されている。この各水導出口２７には、当該各水導出口２７を筒体２内から水が導出される際にのみ水の導出力により筒体２外に向かって開放する導出扉２８が設けられている。更に、各水導入口２１のうち、津波や洪水によって勢いよく水が導入される方向に位置する各水導入口２１（図４では右側の３つの各水導入口２１）の外方には、当該各水導入口２１から導入される水の圧力を減衰させる防潮堤２９が立設されている。この各防潮堤２９は、各水導入口２１の幅よりも大きく、かつ各水導入口２１とほぼ同じ高さに設定されている。また、各案内口２２は、各防潮堤２９が外方に設けられた各水導入口２１のうちの中央の水導入口２１を除く５つの各水導入口２１同士の間に設けられ、津波や洪水によって勢いよく水が導入される方向から迂回している。
【００３３】
また、浮遊体３は、その床３１上に避難室４を備えている。この避難室４は、広間で構成され、寝具、保存食及び飲料水などの生活必需品の他、図示しないトイレや、照明や空調機などの電気機器に対し電力を供給するディーゼル発電機などが据え付けられている。この場合、避難室４は、平常時に、家屋、事務所、工場、または商業施設等の通常の建築物と同様の使用が可能である。
【００３４】
したがって、本実施の形態では、津波や洪水によって水かさが増大する災害時などに避難設備１の広場ＨＧまで到達した避難人は、広場ＨＧに開口する各案内口２２からそのまま筒体２内に案内されて、下部位置に自重で保持された浮遊体３の避難室４に搭乗すればよい。そして、各案内口２２よりも下側の下端位置の各水導入口２１から筒体２内に水が導入されると、浮遊体３が、避難室４に避難人を搭乗させた状態で浮遊し、水の水位に応じて浮遊しながら筒体２内を上昇する。このため、増大する水かさよりも高い位置まで階段を上る必要がない。これにより、老人や足腰に不安のある者であっても各案内口２２から浮遊体３の避難室４にスムーズに搭乗でき、避難室４に搭乗しさえすれば危険を伴うことなく迅速かつ容易に高所まで避難することができる。
また、浮遊体３が津波や洪水に抗するに十分な剛性及び高さを有する筒体２内に収容されているので、水位が増大する際の水の勢いに乗じる浮遊物との直接的な当接を確実に回避して浮遊体３の避難室４に搭乗した避難人の安全性を確保することができる。
しかも、浮遊体３が水の水位に応じて浮遊しながら筒体２内を上昇することにより、浮遊体３を高所まで上昇させる電源や動力を不要にすることができる。一方、筒体２外での水かさの低下に伴い浮遊体３が下降し、水かさの増減に応じた浮遊体３の昇降動作を安定して行うことができる。
更に、筒体２が津波や洪水に抗するに十分な剛性及び高さを有しているので、激流や暴風などが筒体２によってシャットダウンされ、浮遊体３を安定して昇降させることができる上、台風や竜巻などの災害時の避難場所としても有効に活用することができる。
【００３５】
また、浮遊体３の各梁３３に積極的な浮力を作用させる複数のポンツーン３５ａ，３５ｂ，３５ｃが付設されているので、筒体２内での浮遊体３の昇降動作をより円滑に行うことができる。
しかも、各ポンツーン３５ａ，３５ｂ，３５ｃが、各水導入口２１から出し入れ可能な大きさに形成されて浮遊体３の梁３３の下面に対してボルト３６締結により脱着可能に取り付けられているので、各ポンツーン３５ａ，３５ｂ，３５ｃのメンテナンス作業や交換作業を各水導入口２１を介して簡単に行うことができる。
【００３６】
また、各水導入口２１を筒体２外から水が導入される際にのみ開放する導入扉２６に小さな水導出口２７を開設し、この各水導出口２７に、当該各水導出口２７を筒体２内から水が導出される際にのみ開放する導出扉２８が設けられているので、筒体２外の水かさが低下した際に小さな水導出口２７から筒体２内の水がゆっくり排出されて、浮遊体３をゆっくりと下降させることができる。
【００３７】
また、筒体２の内周面に立設した複数の主支柱２４と、浮遊体３の下面において各主支柱２４に向かってそれぞれ放射状に延びる複数の梁３３の外端との間に、浮遊体３の昇降を案内する案内部材３４が設けられているので、筒体２内での浮遊体３の昇降動作を案内部材３４によってスムーズに行うことができる。しかも、浮遊体３の各サドル３４１の対向面３４１ａに取り付けた一対の第２ローラ３４４が、浮遊体３の昇降時に各主支柱２４の両側面を両側方から挟んで転動するので、浮遊体３の心柱２３回りの回転が規制され、浮遊体３をより安定して昇降させることができる。
【００３８】
また、浮遊体３は、その床３１上に、寝具、保存食及び飲料水などの生活必需品の他、トイレや、ディーゼル発電機などを据え付けた広間よりなる避難室４を備えているので、長期に亘る避難も可能となり、避難人の不安を軽減させることができる。しかも、この避難室４が、平常時に、家屋、事務所、工場、または商業施設等の通常の建築物と同様に使用されるので、避難時以外においても避難設備１を有効利用することができる。
【００３９】
なお、前記第１の実施の形態では、床３１上に広間で構成する避難室４を備えた浮遊体３を適用したが、図１２に示すように、有底筒状の桶タイプの浮遊体６が適用されていてもよい。この場合においても、浮遊体６はその底部に広間で構成された避難室４を備え、寝具、保存食及び飲料水などの生活必需品の他、トイレやディーゼル発電機などが据え付けられていてもよい。
【００４０】
また、前記第１の実施の形態では、筒体２を鉄筋コンクリート製のもので構成したが、津波や洪水に伴う浮遊物を遮断する柵状又は網目状の外構材で筒体を構成したり、剛性の高いアクリル製などの透光板で筒体を構成したり、鉄筋コンクリート製の筒体の一部に透光板を備えた筒体が構成されていてもよく、これらの場合には、外光が筒体の内部に取り入れられて、浮遊体の避難室に搭乗した避難人が外光によって照らされ、昇降時の不安を軽減させることが可能となる。しかも、外構材の隙間や透光板を介して外部の様子が一目瞭然となり、避難人の孤立感を軽減させることも可能となる。
【００４１】
また、前記第１の実施の形態では、筒体２の直径を２０ｍに、高さを３０ｍにそれぞれ設定したが、これに限定されるものではなく、筒体の大きさは、その設置場所で起こり得る災害の規模に抗する大きさに設定されていればよい。
【００４２】
また、前記第１の実施の形態では、各水導入口２１をグランドレベルＧＬに開口させ、このグランドレベルＧＬよりも略３．６ｍ上側で舗装した広場ＨＧに各案内口２２を開口させたが、地理的条件を利用するなどして、各案内口がグランドレベルに開口する一方、このグランドレベルよりも略３．６ｍ程度低所に各水導入口が開口していてもよい。
【００４３】
また、前記第１の実施の形態では、筒体２内の中心を上下方向へ延びる心柱２３を立設したが、筒体内に複数の支柱が立設されていてもよい。その場合、浮遊体の床に、当該浮遊体をその浮遊時に各支柱に対して摺動自在に案内する複数の貫通孔を設ける必要がある。
【００４４】
更に、前記第１の実施の形態では、筒体２を円筒形状に形成したが、多角筒形状の筒体であってもよい。
【００４５】
次に、本発明の第２の実施の形態を図１３に基づいて説明する。
この実施の形態では、避難設備の構成を変更している。
【００４６】
すなわち、本実施の形態では、避難設備５は、津波や洪水によって水かさが増大する災害などから人命を守るために供される。そして、避難設備５は、地上に立設された浮遊体支持手段としての一対の支柱体５１，５１と、この各支柱体５１同士の間に支持された浮遊体としてのコンテナ５２と、このコンテナ５２の下面に取り付けられた浮力作用体５３とを備えている。
【００４７】
各支柱体５１は、四角柱形状を呈し、津波や洪水に抗するに十分な剛性及び高さを有している。この各支柱体５１を立設するに当たり、図示しない複数の杭を地盤に支持させる杭工法などが採られる。この場合、各支柱体５１は、鉄筋コンクリート製のものからなり、高さが３０ｍに設定されている。なお、各支柱体５１の高さは３０ｍに限定されるものではなく、その設置場所で起こり得る災害の規模に抗する高さに設定されていればよい。
【００４８】
コンテナ５２は、剛性の高い鋼板により略矩形ボックス状に構成され、内部に避難人を搭乗可能とする搭乗口５２１を備えている。この搭乗口５２１には扉５２２が設けられている。そして、コンテナ５２は、各支柱体５１との対向面５２０の四隅にそれぞれスライダ５２３を備え、各支柱体５１の対向面５１０に設けられた上下方向へ延びる２条のレール（図示せず）を介して上下方向にスライド自在に支持され、避難人を搭乗させた状態で水の水位に応じて昇降可能に浮遊する。
【００４９】
浮力作用体５３は、図１３に二点鎖線で示すように、コンテナ５２の浮遊時に積極的に浮力を作用させて当該コンテナ５２を喫水線Ｓ（図１３では一点鎖線で示す）よりも上側に位置させるようにしている。浮力作用体５３は、剛性の高い鋼板により略矩形ボックス状に形成され、内部が区画壁５３０によって複数の空気室５３１，５３１，…に気密状態で分割されている。
【００５０】
そして、各支柱体５１同士の間には、浮力作用体５３をグランドレベルＧＬよりも下方に埋没させる凹部ＧＬ１が設けられ、コンテナ５２の搭乗口５２１をグランドレベルＧＬに開口させて避難設備１まで到着した避難人が搭乗口５２１からコンテナ５２内に迅速かつ容易に搭乗できるようにしている。また、凹部ＧＬ１の底には、雨水程度の水量を排水する排水溝５５が敷設され、雨水などによるコンテナ５２の不慮の浮上を防止している。更に、コンテナ５２は、その内部に避難室４を備えている。
【００５１】
なお、浮力作用体５３の体積は、コンテナ５２、浮力作用体５３、家具等の内設物、および、避難人の重量を合計した総重量と、浮力作用体５３に生じる浮力が釣り合う状態における排水量（体積）より大きくなっているため、喫水線Ｓが浮力作用体５３の上端を超えて上に位置することはない。
【００５２】
したがって、本実施の形態では、津波や洪水によって水かさが増大する災害時などに避難設備５に到達した避難人は、搭乗口５２１からコンテナ５２内に搭乗すればよい。そして、水かさが上昇すると、コンテナ５２が、浮力作用体５３の浮力とによって避難人を搭乗させた状態で浮遊し、水の水位に応じてコンテナ５２が各支柱体５１の間で浮遊しながら上昇する。このため、増大する水かさよりも高い位置まで階段を上る必要がない。これにより、老人や足腰に不安のある者であってもコンテナ５２に搭乗しさえすれば危険を伴うことなく迅速かつ容易に高所まで避難することができる。
また、コンテナ５２が津波や洪水に抗するに十分な剛性及び高さを有する各支柱体５１の間で支持されている上、浮力作用体５３によってコンテナ５２が喫水線Ｓよりも上側に位置しているので、水位が増大する際の水の勢いに乗じる浮遊物が剛性の高い鋼板よりなる浮力作用体５３に対し当接して、コンテナ５２との直接的な当接を確実に回避し、コンテナ５２に搭乗した避難人の安全性を確保することができる。
しかも、コンテナ５２が水の水位に応じて浮遊しながら各支柱体５１の間で上昇することにより、コンテナ５２を高所まで上昇させる電源や動力を不要にすることができる。一方、水かさの低下に伴いコンテナ５２が下降し、水かさの増減に応じたコンテナ５２の昇降動作を安定して行うことができる。
さらにまた、浮力作用体５３によってコンテナ５２が喫水線Ｓよりも上側に位置していることにより、水位が増大する際の水の勢いに乗じる浮遊物とコンテナ５２との直接的な当接を確実に回避することができるため、コンテナ５２に密閉や特別な強度は必要なく、窓や通気口等を通常の建築物と同様に設けることができ、骨材、壁在等、通常の建材を用いることができる。しかも、平常時には、避難室４を家屋、事務所、工場、または商業施設等の通常の建築物と同様に使用され、避難時以外においても避難設備５を有効利用することができる。
【００５３】
なお、前記第２の実施の形態では、各支柱体５１を四角柱形状としたが、十分な剛性を有し、かつ浮遊体の前後左右への自由度を拘束しつつ昇降自在に支持できさえすれば、断面多角形状や断面半円形状であってもよい。また、支柱体が３つ以上設けられていてもよいのはいうまでもない。更に、浮遊体の周囲に筒体を設けた場合には、筒体が浮遊体の前後左右方向への自由度を拘束しつつ、水位の上昇及び下降によって浮遊体が昇降することができるため、筒体のみで支柱体と同じ効果を有する。
【符号の説明】
【００５４】
１        避難設備
２        筒体
２１      水導入口
２２      案内口
２４      主支柱
２６      導入扉
２７      水導出口
２８      導出扉
３        浮遊体
３３      梁
３４      案内部材
３５      浮力作用体
４        避難室
５        避難設備
５１      支柱体（浮遊体支持手段）
５２      コンテナ（浮遊体）
５３      浮力作用体
６        浮遊体
Ｓ        喫水線
【図１】
2014047492.tif 000003
【図２】
2014047492.tif 000004
【図３】
2014047492.tif 000005
【図４】
2014047492.tif 000006
【図５】
2014047492.tif 000007
【図６】
2014047492.tif 000008
【図７】
2014047492.tif 000009
【図８】
2014047492.tif 000010
【図９】
2014047492.tif 000011
【図１０】
2014047492.tif 000012
【図１１】
2014047492.tif 000013
【図１２】
2014047492.tif 000014
【図１３】
2014047492.tif 000015